【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
基部方向端部と末端方向端部を有する外部管状部材と、
前記外部管状部材の内部を摺動するように構成されるとともに、開口した基部方向端部と閉鎖した末端方向端部を有する内部管状部材と、
前記内部管状部材の開口した基部方向端部を閉鎖する端部部材と、
前記内部管状部材と密閉係合するために前記端部部材に設けられた遮蔽手段と、
前記端部部材を内部管状部材に係止する第１の位置と前記内部管状部材から開放される第２の位置との間を移動可能であり、前記端部部材が内部管状部材を通って引っ込むことを可能とするように前記端部部材に設けられた解除手段であって、前記内部管状部材は真空状態下に置かれ、該真空は前記端部部材を内部管状部材の基部方向端部から前記内部管状部材の末端方向端部に向けて引っ込めるように作用し、前記内部管状部材が前記外部管状部材の基部方向端部の位置または基部方向端部と隣接する位置にあるときは、前記第１の位置から前記第２の位置に移動可能である解除手段と、
前記外部管状部材の基部方向端部に装着された針保持部であって、解除手段が針保持部に設けられると共に、該解除手段が前記針保持部を外部管状部材に係止する第１の位置と該解除手段が内部管状部材から開放される第２の位置との間を移動可能である針保持部と、を備え、
前記内部管状部材が前記外部管状部材の基部方向端部の位置または基部方向端部と隣接する位置にあるときは、前記端部部材に設けられた解除手段は前記内部管状部材から開放し、前記針保持部に設けられた解除手段に対して係止し、前記針保持部の解除手段を解除位置に移動させた後、前記端部部材と針保持部は前記内部管状部材の真空により前記内部管状部材内に引っ込められることを特徴とするカニューレ／カテーテル導入器。
【請求項２】
上部管状部材が前記外部管状部材の基部方向端部に向けて移動することにより、前記解除手段は、前記第１の位置から前記第２の位置に移動する請求項１記載の導入器。
【請求項３】
前記内部管状部材は引き込み位置と引き伸ばし位置との間を移動可能であり、前記引き込み位置にあるときは、前記管状部材は前記針保持部から短距離だけ離間し、前記引き伸ばし位置にあるときは、前記管状部材は前記針保持部の引き込み動作を起動し、前記内部管状部材は該引き込まれた位置で前記外部管状部材内に閉じ込められた状態で保持されることを特徴とする請求項２記載の導入器。
【請求項４】
前記外部管状部材の末端方向端部と前記内部管状部材の末端方向端部は閉じ込め手段を有し、該閉じ込め手段は外部管状部材内に縦方向の通路と内部管状部材から延びる突出部を有し、該突出部は前記縦方向の通路に沿った移動に対して、前記外部管状部材内での前記内部管状部材の移動を制限するように設計された構成である請求項３記載の導入器。
【請求項５】
前記外部管状部材の基部方向端部はその径が該外部管状部材のその他の部分に関して制限され、前記基部方向端部の径を連続的に減少させる複数の段差部を有すると共に、内部ランド部を形成する請求項３記載の導入器。
【請求項６】
前記外部管状部材の基部方向端部の内壁の設けられ、前記針保持部を前記外部管状部材の基部方向端部に固定するのを補助する機能のグリップ手段またはロック手段を備える請求項３記載の導入器。
【請求項７】
前記グリップ手段またはロック手段は前記外部管状部材の基部方向端部内に内部環状溝を有する請求項６記載の導入器。
【請求項８】
前記端部部材は後部と前部を有し、該後部は実質閉鎖されており、前記端部部材が前記内部管状部材の内壁に対して密閉しているが摺動可能である状態で密閉係合可能とする遮蔽手段を備える請求項３記載の導入器。
【請求項９】
前記端部部材の前部は前記解除手段を備える請求項８記載の導入器。
【請求項１０】
前記解除手段は、弾性部材であって自然状態の第１の位置と変形された第２の位置との間を移動するように構成された少なくとも１つの指部材を備える請求項９記載の導入器。
【請求項１１】
前記少なくとも１つの指部は、前記第１の位置にあるときは、前記内部管状部材の開口基部方向壁部に対して係止する請求項１０記載の導入器。
【請求項１２】
前記少なくとも１つの指部材は、該指部材が前記内部管状部材の開口基部方向壁に対して係止可能とする矢頭構成を備える請求項１１記載の導入器。
【請求項１３】
前記針保持部は、穿刺針を格納する通路を含む中心体部と、該中心体部と一体構成の前記解除手段とを有する請求項２記載の導入器。
【請求項１４】
前記解除手段は少なくとも１つの指部材を備え、該指部材は前記端部部材に設けられた解除手段と係合することを可能とする構成を有する請求項１３記載の導入器。
【請求項１５】
前記指部材は、前記外部管状部材に形成された凹部と係合する中間突部を含む請求項１２記載の導入器。
【請求項１６】
基部方向端部と末端方向端部を有する外部管状部材と、
前記外部管状部材の内部を摺動するように構成されるとともに、開口した基部方向端部と閉鎖した末端方向端部を有する内部管状部材と、
前記内部管状部材の開口した基部方向端部を閉鎖する針保持用ピストン組立体と、
前記内部管状部材と密閉係合するために前記針保持用ピストン組立体に設けられた遮蔽手段と、
前記針保持用ピストン組立体を前記内部管状部材に係止する第１の位置と前記内部管状部材から開放される第２の位置との間を移動可能であり、前記針保持用ピストン組立体が前記内部管状部材を通って引っ込むことを可能とするように前記針保持用ピストン組立体に設けられた解除手段であって、前記内部管状部材は真空状態下に置かれ、該真空は前記針保持用ピストン組立体を内部管状部材の基部方向端部から内部管状部材の末端方向端部に向けて引っ込めるように作用し、前記外部管状部材の基部方向端部に向かう内部管状部材の移動により、前記第１の位置から前記第２の位置に移動可能な解除手段と、を備え、
前記外部管状部材の基部方向端部に向かう前記内部管状部材の移動により、前記針保持用ピストン組立体に設けられた解除手段は前記内部管状部材から開放された後、前記針保持用ピストン組立体は前記内部管状部材の真空により内部管状部材内に引っ込められることを特徴とするカニューレ／カテーテル挿入器。
【請求項１７】
前記内部管状部材は引き込み位置と引き伸ばし位置との間を移動可能であり、前記引き込み位置にあるときは、前記管状部材は前記針保持用ピストン組立体から短距離だけ離間し、前記引き伸ばし位置にあるときは、前記管状部材は前記針保持用ピストン組立体の引き込み動作を起動し、前記内部管状部材は前記短距離だけ移動することができるように前記外部管状部材内に閉じ込められた状態で保持されることを特徴とする請求項１６記載の挿入器。
【請求項１８】
外部管状部材と、
内部管状部材と、
前記外部管状部材に対して前方方向に前記内部管状部材が移動することにより、穿刺針を前記内部管状部材内に引っ込めることができる針格納手段と、を備えたカニューレ／カテーテル挿入器であって、
前記内部管状部材の基部方向端部が前記外部管状部材の基部方向端部に隣接するように前記内部管状部材は前記外部管状部材内に実質的に挿入され、
前記挿入器は、前記外部管状部材に対する前記内部管状部材の移動を制限する制限手段を備え、該制限手段は前記挿入器の末端方向端部に隣接することを特徴とするカニューレ／カテーテル挿入器。